(57)【要約】      （修正有）【課題】熱成型装置内にセットするプラスチックシート材を固定カセットによって挟み込むことで簡単に支持固定でき、固定状態の儘で熱成型装置内に簡単、容易に装入できる。【解決手段】被試作物Ｂをかたどるべく、この被試作物Ｂに密着させるプラスチックシート材Ｐを挟み込む第１挟持部（１１）を形成した第１枠体１０と、第１挟持部（１１）に対向状にした第２挟持部（２１）を形成した第２枠体２０とから固定カセット１を形成する。第１挟持部（１１）、第２挟持部（２１）それぞれの対向面に、プラスチックシート材Ｐに固定取付孔Ｐ１を穿孔させ、プラスチックシート材Ｐの位置決め、挟み込みを維持する穿孔手段１５を設ける。また、器枠体３１、加熱源３２、真空吸引源３５、台盤３７を備え、前記固定カセット１を着脱自在に支持し、加熱源３２と真空吸引源３５との間で上下動されるカセット固定枠４１を備える熱成型装置３０を形成する。【選択図】図１
2015223791.tif 000002
【特許請求の範囲】
【請求項１】
被試作物をかたどるべく、この被試作物に密着されるプラスチックシート材の周縁を挟み込み、この挟み込みを維持するようにしてある枠体を備えて成ることを特徴とするプラスチックシートの熱成型時用固定カセット。
【請求項２】
被試作物をかたどるべく、この被試作物に密着されるプラスチックシート材の周縁を挟み込む第１挟持面が周縁に形成された第１枠体と、第１挟持面と対向状で、この第１挟持面と共にプラスチックシート材を挟み込む第２挟持面が周縁に形成された第２枠体とから成り、第１挟持面、第２挟持面それぞれが当接する対向面に、相互に嵌め合わされることで挟み込んだプラスチックシート材に固定取付孔を穿孔させると共に、プラスチックシート材の位置決め、挟み込みを維持する穿孔手段を設けて成ることを特徴とするプラスチックシートの熱成型時用固定カセット。
【請求項３】
第１挟持面は、プラスチックシート材の周縁を挟み込む凹状の挟持段差凹部として第１枠体に構成でき、第２挟持面は、この挟持段差凹部内に嵌め込まれる凸状の挟持段差凸部として第２枠体に構成してある請求項２に記載のプラスチックシートの熱成型時用固定カセット。
【請求項４】
第１枠体の挟持段差凹部の外側縁、第２枠体の挟持段差凸部の外側縁それぞれは、前記したプラスチックシート材の周囲縁にほぼ対応した大きさとなしてある請求項３に記載のプラスチックシートの熱成型時用固定カセット。
【請求項５】
穿孔手段は、第１挟持面、第２挟持面相互の対向面のいずれか一方に形成したピン状の雄刃と、この雄刃が嵌め入れられるものとしていずれか他方に形成した凹状の雌刃とから成る請求項２乃至４のいずれかに記載のプラスチックシートの熱成型時用固定カセット。
【請求項６】
器枠体と、この器枠体内の上部に配装された加熱源と、器枠体内の下部に配装された真空吸引源と、空気抜き孔が開穿されて真空吸引源上に設けられていて、被試作物が載置される台盤と、プラスチックシート材が着脱自在に固定支持される固定カセットを着脱自在に支持すると共に器枠体内で加熱源と真空吸引源との間で上下動されるカセット固定枠とを備えて成ることを特徴とする熱成型装置。
【請求項７】
器枠体には、カセット固定枠を上下に案内して移動させる案内手段が設けられている請求項６に記載の熱成型装置。
【請求項８】
カセット固定枠は、固定カセットの左右枠部分がスライド装入される左右のスライド支持部と、このスライド支持部の前後でスライド支持部相互間に連結した前後支持部とから平面で四角枠状を呈すると共に、案内手段に対応する案内部と、器枠体の外側に配置した上下動操作用の作業ハンドルを連結させる取付固定部とを設けてある請求項６または７に記載の熱成型装置。
【請求項９】
カセット固定枠におけるスライド支持部は、固定カセットの左右枠部分がカセット固定枠の前方からスライド自在に嵌め入れられるようにした断面溝形状に形成してある請求項８に記載の熱成型装置。
【発明の詳細な説明】
【技術分野】
【０００１】
本発明は、例えば各種の型菓子成型時に使用されるプラスチックシート製の成型用型材、各種の被包装品を保持収納するプラスチックシート製の包装型材等を製作するに際し、そのプラスチックシートを簡単確実に保持して熱成型装置へのセット支持を容易にし、またプラスチックシート製の型材を簡易に制作できるようにしたプラスチックシートの熱成型時用固定カセットおよびこれを利用した熱成型装置に関する。
【背景技術】
【０００２】
従来から、例えばチョコレート材料を型材に流し込むことで所定形状のチョコレート菓子を成型するに際し、その試作型材を例えば所定肉厚のプラスチックシート材によって構成することがある。また、近時では３Ｄプリンターによって成形品の見本、模型その他として製作された各種の立体物を元にして、それを型材によって試作成型すべく立体物である被試作物そのものにプラスチックシート材を被せて真空成型方法によって試作型材を同様に所定肉厚のプラスチックシート材によって構成することもある。
【０００３】
こうしたプラスチックシート材製の型材を形成するには、例えば特許文献１に示されるプラスチックシートの熱成型装置および熱成形方法が提案されている。この熱成型装置、方法は、プラスチックシートを加熱する熱板を有するプレスと、シート保持部を有してプレスに対して移動可能な成型ボックスとから成り、プレス下方に移動させた成型ボックス内に嵌め込んだ成形型の下方から排気し、加熱済のプラスチックシートを成形型に密着させることでプラスチックシートによる試作型材を製作できるとする。
【先行技術文献】
【特許文献】
【０００４】
【特許文献１】特開平１０−２７８９０７号公報
【発明の概要】
【発明が解決しようとする課題】
【０００５】
この特許文献１の熱成形装置、方法によると、成形ボックスに成形型を位置決めセットすると共に、成形ボックスの開口部に配した取付枠にプラスチックシートを取り付ける必要があるばかりでなく、成形型ボックスの移動機構、プレスにおける熱板の昇降機構等を備えるから、サンプル的な試作型材の製作に適するとしても装置自体としてやや大型化せざるを得ず、しかも高価なものとなっている。
【０００６】
また、近時の３Ｄプリンターの利用で比較的に小型のサンプル的な立体物の製作が容易になっていても、これを元にした試作型材の製作自体が特許文献１のような装置、方法によるとすれば試作型材の製作そのものも面倒である。こうしたことから、サンプル的な試作型材等の製作が容易であり、プラスチックシート自体の位置決めセットも容易に行える簡易な熱成型装置が望まれているのである。
【０００７】
そこで本発明は上述したような従来存した諸事情に鑑み創出されたもので、その目的は例えば試作型材となるプラスチックシート材を熱成型装置内にセットするに際し、そのプラスチックシート材を固定カセットによって挟み込むことで簡単に支持固定でき、その固定された状態の儘で熱成型装置内に簡単、容易に装入でき、また熱成型装置自体は例えば卓上に置ける程度に小型化できることで、取り扱いも容易であるようにしたプラスチックシートのプラスチックシートの熱成型時用固定カセットおよびこれを利用した熱成型装置を提供することにある。
【課題を解決するための手段】
【０００８】
上述した課題を解決するため、本発明にあっては、後述する発明を実施するための形態における使用符号を付記して説明すると、プラスチックシートの熱成型時用固定カセット１は、被試作物Ｂをかたどるべく、この被試作物Ｂに密着されるプラスチックシート材Ｐの周縁を挟み込み、この挟み込みを維持するようにしてある枠体（１０，２０）を備えて成ることを特徴とする。
この固定カセット１の具体的一例は、被試作物Ｂをかたどるべく、この被試作物Ｂに密着されるプラスチックシート材Ｐの周縁を挟み込む第１挟持面（１１）が周縁に形成された第１枠体１０と、第１挟持面（１１）と対向状で、この第１挟持面（１１）と共にプラスチックシート材Ｐを挟み込む第２挟持面（２１）が周縁に形成された第２枠体２０とから成り、第１挟持面（１１）、第２挟持面（２１）それぞれが当接する対向面に、相互に嵌め合わされることで挟み込んだプラスチックシート材Ｐに固定取付孔Ｐ１を穿孔させると共に、プラスチックシート材Ｐの位置決め、挟み込みを維持する穿孔手段１５を設けて成ることを特徴とする。
また、第１挟持面は、プラスチックシート材Ｐの周縁を挟み込む凹状の挟持段差凹部１１として第１枠体１０に構成でき、第２挟持面は、この挟持段差凹部１１内に嵌め込まれる凸状の挟持段差凸部２１として第２枠体２０に構成することができ、第１枠体１０の挟持段差凹部１１の外側縁、第２枠体２０の挟持段差凸部２１の外側縁それぞれは、前記したプラスチックシート材Ｐの周囲縁にほぼ対応した大きさとなすことで構成することができる。
穿孔手段１５は、第１挟持面（１１）、第２挟持面（２１）相互の対向面のいずれか一方に形成したピン状の雄刃１６と、この雄刃１６が嵌め入れられるものとしていずれか他方に形成した凹状の雌刃１７とから成るものとして構成することができる。
一方、この固定カセット１を利用した熱成型装置３０は、器枠体３１と、この器枠体３１内の上部に配装された加熱源３２と、器枠体３１内の下部に配装された真空吸引源３５と、空気抜き孔３８が開穿されて真空吸引源３５上に設けられていて、被試作物Ｂが載置される台盤３７と、プラスチックシート材Ｐが着脱自在に固定支持される前記固定カセット１を着脱自在に支持すると共に器枠体３１内で加熱源３２と真空吸引源３５との間で上下動されるカセット固定枠４１とを備えて成ることを特徴とする。
器枠体３１には、カセット固定枠４１を上下に案内して移動させる案内手段４０が設けられることで構成することができる。
カセット固定枠４１は、固定カセット１の左右枠部分がスライド装入される左右のスライド支持部４２と、このスライド支持部４２の前後でスライド支持部４２相互間に連結した前後支持部４３とから平面で四角枠状を呈すると共に、案内手段４０に対応する案内部と、器枠体３１の外側に配置した上下動操作用の作業ハンドル４５を、例えばネジ止めで連結させる取付固定部４４とを設けて構成することができる。
カセット固定枠４１におけるスライド支持部４２は、固定カセット１の左右枠部分がカセット固定枠４１の前方からスライド自在に嵌め入れられるようにした断面溝形状に形成することができる。
【０００９】
以上のように構成された本発明に係るプラスチックシートの熱成型時用固定カセットおよびこれを利用した熱成型装置にあって、固定カセット１における第１枠体１０、第２枠体２０相互間にプラスチックシート材Ｐを挟み込むと、この固定カセット１によって位置決めさせた状態でプラスチックシート材Ｐを固定支持し、熱成型装置３０のカセット固定枠４１にスライド装入させることで、熱成型装置３０内の所定位置にプラスチックシート材Ｐをセットさせる。
また、穿孔手段１５によって、プラスチックシート材Ｐに固定取付孔Ｐ１を穿孔することで、挟み込み位置を確実に、固定的に維持し、固定カセット１内でのプラスチックシート材Ｐの位置ずれを防止させる。
第１枠体１０、第２枠体２０による挟み込み時では、第１挟持面（１１）、第２挟持面（２１）における雄刃１６、雌刃１７から成る穿孔手段１５がプラスチックシート材Ｐの周縁に固定取付孔Ｐ１を開穿し、そのまま挟み込み状態を維持し、被試作物Ｂに対する熱成型時でもプラスチックシート材Ｐをずらすことなく、被試作物Ｂにしっくりと密着させる。
熱成型装置３０内でのカセット固定枠４１の上下動で、上部の加熱源３２に対する近接によるプラスチックシート材Ｐを加熱およびこれによる軟性化、その後の下部の台盤３７上に載置してある被試作物Ｂへのあてがいおよび真空吸引源３５の吸引作動によって被試作物Ｂにプラスチックシート材Ｐを密着させ、それをかたどらせる。
固定カセット１における第１枠体１０、第２枠体２０相互間で挟み込んだプラスチックシート材Ｐに対する開穿形成した固定取付孔Ｐ１による固定位置決めで、プラスチックシート材Ｐは固定カセット１内でがたつかずに確実に固定支持され、台盤３７上の被試作物Ｂにあてがった後の吸引作用時ではプラスチックシート材Ｐを被試作物Ｂの外形にしっくりと確実に密着させる。
熱成型装置３０のカセット固定枠４１のスライド支持部４２は、プラスチックシート材Ｐを挟み込んだ固定カセット１をスライドさせることで装入支持させ、熱成型装置３０における器枠体３１の案内手段４０によって円滑に上下動させる。また、器枠体３１の外側に配置した上下動操作用の作業ハンドル４５の取付固定部４４に対する連結で、この作業ハンドル４５によって、カセット固定枠４１ひいては固定カセット１を円滑に上下動させ、加熱源３２への近接、台盤３７上での被試作物Ｂに対するあてがいセットを容易に行わせる。
【発明の効果】
【００１０】
本発明は以上説明したように構成されているため、例えば試作型材となるプラスチックシート材Ｐを熱成型装置３０内にセットするに際し、そのプラスチックシート材Ｐを挟み込んだ固定カセット１自体によって固定状態で装入支持でき、しかも、プラスチックシート材Ｐは固定カセット１に強制的に挟み込むことで固定カセット１自体に簡単に位置決め固定でき、また、例えば卓上に置ける程度に小型化できる熱成型装置３０とすることで取り扱いも容易であり、試作型材等を簡単に製作できる。
【００１１】
すなわちこれは、本発明に係る固定カセット１が、被試作物Ｂをかたどるべく、この被試作物Ｂに密着されるプラスチックシート材Ｐの周縁を挟み込み、この挟み込みを維持するようにしてある枠体（１０，２０）を備えて成るからである。また、本発明に係る熱成型装置３０が、器枠体３１、加熱源３２、真空吸引源３５、台盤３７を備え、プラスチックシート材Ｐが着脱自在に固定支持される前記固定カセット１を着脱自在に支持すると共に器枠体３１内で加熱源３２と真空吸引源３５との間で上下動されるカセット固定枠４１とを備えて成るからである。これらによって、プラスチックシート材Ｐの確実な支持固定、熱成型装置３０内への装入セット、プラスチックシート材Ｐの加熱・軟性化、被試作物Ｂに対する密着かたどり等を簡単、容易に行うことができる。
【００１２】
また、第１枠体１０、第２枠体２０からなる固定カセット１は、対向状に配置の第１枠体１０の第１挟持面（１１）と、第２枠体２０の第２挟持面（２１）との間でプラスチックシート材Ｐが挟み込まれることで、しかも、この挟み込みによってプラスチックシート材Ｐの周縁に固定取付孔Ｐ１を穿孔させてプラスチックシート材Ｐの位置決め、挟み込みを維持するようにしてあるから、プラスチックシート材Ｐを確実に支持固定できる。この固定カセット１における第１枠体１０、第２枠体２０相互を、揺動開閉自在となるよう例えば蝶番にて連結しておくことで、揺動開閉操作によってプラスチックシート材Ｐの位置決め、固定を一層簡単に行える。
【００１３】
第１挟持面としての第１枠体１０の挟持段差凹部１１内に、第２挟持面としての第２枠体２０の挟持段差凸部２１が嵌め込まれ、これらの対向面には雄刃１６、雌刃１７から成る穿孔手段１５が設けられているから、プラスチックシート材Ｐを挟み込んで相互に嵌め合わせるだけでプラスチックシート材Ｐに固定取付孔Ｐ１を簡単に開穿でき、しかも、その支持固定状態は、熱成型装置３０内での被試作物Ｂに被せてかたどるときでも維持されるので、写し取る被試作物Ｂの型取りを不鮮明とさせることもない。
【００１４】
熱成型装置３０におけるカセット固定枠４１は、固定カセット１の左右枠部分がスライド装入される左右のスライド支持部４２の前後で前後支持部４３を連結することにより平面で四角枠状に形成してあるから、固定カセット１の溝形状のカセット固定枠４１内へのスライド支持でプラスチックシート材Ｐを熱成型装置３０内に簡単に位置決めセットできる。更に固定カセット１で支持固定したプラスチックシート材Ｐを加熱源３２に近接させた加熱、軟性化、台盤３７上の被試作物Ｂに対する被せ後の真空吸引源３５によるプラスチックシート材Ｐ下方の吸引作用での型取りを円滑にする。
【００１５】
カセット固定枠４１のスライド支持部４２には、器枠体３１に形成した案内手段４０に対応する案内部を設けてあるから、この案内手段４０によってカセット支持枠４１を器枠体３１内で上下方向に円滑に移動でき、固定カセット１に固定支持したプラスチックシート材Ｐの加熱源３２への近接、台盤３７上の被試作物Ｂに対するあてがい等の作業を迅速に行わせる。
【００１６】
しかも、このカセット固定枠４１の上下動操作は、このカセット固定枠４１に設けた取付固定部４４に連結した作業ハンドル４５が、器枠体３１の外側に配置されていることで、この作業ハンドル４５によって器枠体３１外部からカセット固定枠４１、固定カセット１を上下動操作でき、器枠体３１内部での加熱源３２による高温雰囲気、真空吸引源３５による真空雰囲気の影響を受けずに、手動によっても安全に作業できる。
【００１７】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００１８】
【図１】本発明に係る着脱式固定カセットによってプラスチックシート材を支持し、成型するときを示す一部の拡大図を含む一部切欠の分解斜視図である。
【図２】同じくプラスチックシート材を挟み込むときの固定カセットの要部分解断面図である。
【図３】本発明に係る熱成型装置の一例における正断面図である。
【図４】同じく熱成型装置の一例における側断面図である。
【発明を実施するための形態】
【００１９】
以下、図面を参照して本発明を実施するための一形態を説明すると、図において示される符号１は、所定の後述する熱成型装置３０、例えば机上に載置可能な程度に小型化したいわゆる卓上型の熱成型装置３０における成型部に着脱式に位置決めセットされる本発明に係る着脱カセット式構造の固定カセットである。この固定カセット１は、例えば試作型材となる所定肉厚の例えばＡ４版程度の大きさとしたプラスチックシート材Ｐを、固定取付孔Ｐ１の穿孔と同時に挟み込むようにして固定支持できるように挟持するもので、熱成型装置３０内に組み込まれ使用されるときの加熱時の耐熱性、被試作物Ｂに対する押さえ時の堅牢性等を考慮して例えばアルミニウム材等の金属材にて形成されている。
【００２０】
具体的には、例えば塩化ビニル樹脂等のプラスチックシート材Ｐの周縁を挟み込む第１挟持面としての凹状の挟持段差凹部１１が内周縁に形成された平面で四角枠状を呈する第１枠体１０と、第２挟持面として、挟持段差凹部１１内に嵌め込まれる凸状の挟持段差凸部２１が内周縁に形成された同じく平面で四角枠状を呈する第２枠体２０とから成り、挟持段差凹部１１、挟持段差凸部２１それぞれが当接する対向面に、相互に嵌め合わされることで挟み込んだプラスチックシート材Ｐに固定取付孔Ｐ１を穿孔させると共に、プラスチックシート材Ｐの位置決め、挟み込みを維持する穿孔手段１５を設けて形成される。
【００２１】
第１枠体１０の挟持段差凹部１１の外側縁、第２枠体２０の挟持段差凸部２１の外側縁それぞれは、前記したプラスチックシート材Ｐの周囲縁にほぼ対応した大きさとなっており、処理されるべきプラスチックシート材Ｐを挟持段差凹部１１内にがたつくことなく、しっくりと嵌め入れた状態で位置決めさせるようにしてある。
【００２２】
また、第１枠体１０の挟持段差凹部１１内にプラスチックシート材Ｐが嵌め入れられて配置された状態で、同じく第２枠体２０の挟持段差凸部２１が挟持段差凹部１１内に嵌め入れられるもので、挟持段差凸部２１が挟持段差凹部１１内に嵌め入れられたときには、第１枠体１０と第２枠体２０とが一体状の四角枠体として組み合わせられるようにしてある。
【００２３】
挟持段差凹部１１の深さ、挟持段差凸部２１の高さそれぞれはほぼ同一のものとしてあって、プラスチックシート材Ｐを挟み込んだときの固定カセット１自体の高さは、熱成型装置３０における後述するカセット固定枠４１にスライド自在に嵌め入れ可能になるように設定されている。
【００２４】
また、穿孔手段１５は、挟持段差凹部１１、挟持段差凸部２１の相互の対向面のいずれか一方に形成したピン状の雄刃１６と、この雄刃１６が嵌め入れられるものとしていずれか他方に形成した凹状の雌刃１７とから成り、好ましくは雄刃１６の上端面周縁は上方にやや鋭利状にとがらせて形成しておくと良い。この雄刃１６端面と雌刃１７周縁との間でプラスチックシート材Ｐが挟み込まれた状態で雄刃１６、雌刃１７両者相互間の嵌め合いによってプラスチックシート材Ｐに雄刃１６の外形あるいは雌刃１７の内形に沿った固定取付孔Ｐ１を切り抜き状に開穿すると同時に、この固定取付孔Ｐ１が雄刃１６に噛み合い状に嵌め合わされたものとなるようにしている。
【００２５】
図示にあって、雄刃１６は挟持段差凹部１１面に、雌刃１７は挟持段差凸部２１面にそれぞれ配置形成されているも、これらを逆に配置形成しても良く、いずれも任意に選定できる。
【００２６】
また、この固定カセット１は、図示を省略したが第１枠体１０、第２枠体２０を、そのいずれかの側縁で蝶番にて連結することによって揺動開閉可能に構成することも可能であり、揺動開閉の連結構成によって、固定カセット１自体の取り扱いを容易にすることができる。更には、例えば後述する熱成型装置３０におけるカセット固定枠４１内へのスライド装入、取り出しに便なるように、例えば下側に位置される第１枠体１０に取っ手を付設することも可能である。尚、第１挟持面（１１）、第２挟持面（２１）は、互いに対向状となってプラスチックシート材Ｐの周縁を挟み込めばよいので、図示のような凹凸の嵌合構成によらずにフラットな面として構成することもできる。
【００２７】
一方、以上のように構成された固定カセット１を使用して、所定の被試作物Ｂ、すなわち例えば凝固化される流動性素材の型材へのいわゆる流し込みによって造形が予定されるものとしての例えば手工芸品として制作されたものであったり、あるいは３Ｄプリンター等によって制作されたものであったりする被試作物Ｂをかたどるように、加熱・軟性化したプラスチックシート材Ｐを被試作物Ｂに真空成形によって密着状にあてがい、そのプラスチックシート材Ｐ自体を試作型材として製作する熱成型装置３０は、例えば以下のように構成される。
【００２８】
この熱成型装置３０は、例えば机上に載置可能な程度に小型化された容量を有するほぼ直方体状の器枠体３１と、この器枠体３１内の上部に配装された加熱源３２と、器枠体３１内の下部に配装された真空吸引源３５と、空気抜き孔３８が開穿されて真空吸引源３５上に設けられていて、被試作物Ｂが載置される台盤３７と、プラスチックシート材Ｐが着脱自在に固定支持される固定カセット１を着脱自在に支持すると共に器枠体３１内で加熱源３２と真空吸引源３５との間で上下動されるカセット固定枠４１とを備えて成る。
【００２９】
器枠体３１は、平面では、例えば前記Ａ４版程度のプラスチックシート材Ｐが前方からスライド装入されてほぼ水平状態のままでセットされるよう、そのプラスチックシート材Ｐの大きさに対応させて、これよりやや大きめとなる程度のものとされ、加熱源３２と真空吸引源３５との間で前記被試作物Ｂが装入載置されるに足りる高さ空間を備えて成る。また、図示のように、器枠体３１の前面は、被試作物Ｂの載置セット、前記固定カセット１のスライド装入等のために開口・開放されていると共に、同じく側面には、カセット固定枠４１を外部から上下動させるためにこのカセット固定枠４１に器枠体３１外から連結される上下動操作用の作業ハンドル４５を挿通させるガイドスリット３９が、案内手段４０を兼ねて設けられている。
【００３０】
加熱源３２は、電熱ヒーターのもので、これの直下に持ち上げられて位置されるプラスチックシート材Ｐに対して、被試作物Ｂをかたどる際に被試作物Ｂの外形に沿うよう密着させるに足りる柔軟性が与えられるように加熱させるのであり、加熱温度を例えば２００℃に設定調整できるよう熱感知器によって制御されるようにしてある。この設定温度は、器枠体３１における前面に配した例えばデジタル表示式の温度計３３によって表示されるように例えば器枠体３１の前面に設けたヒータースイッチ３４で制御されるようにしてある。また、この加熱源３２は、器枠体３１の上部天壁を山形状に上方に膨出させ、内部上面に熱反射材等を設けることで形成した加熱室内に配置することもでき、こうすることで加熱効率性を高めることもできる。
【００３１】
真空吸引源３５は、例えば器枠体３１の下部に内蔵させた真空ポンプ・モーターのもので、台盤３７上の器枠体３１内のエアを空気抜き孔３８を経て強制排気するのであり、器枠体３１の前面に配した、あるいは足踏み式の排気スイッチ３６によってＯＮ−ＯＦＦされるようにしてある。
【００３２】
台盤３７は、器枠体３１におけるほぼ中央高さ位置で器枠体３１内を上下に区画した位置で器枠体３１内に固定されており、この台盤３７上に被試作物Ｂが載置セットされるようにしてある。そして、台盤３７自体に開穿されている空気抜き孔３８を経た真空吸引源３５の吸引作用で、台盤３７上にセットされた被試作物Ｂ上に被せられるプラスチックシート材Ｐ下方のエアが強制排気されることで、プラスチックシート材Ｐを被試作物Ｂに密着させる。
【００３３】
また、この台盤３７は、図示のように周縁部分から所定高さとなるように段差状に形成されており、段差分で高く形成された台盤３７の本体部分に載置セットされた被試作物Ｂに対してプラスチックシート材Ｐが被せられ、真空吸引源３５による吸引作動でプラスチックシート材Ｐがこの台盤３７の本体部分にも密着されるよう、押し下げられた固定カセット１の第１枠体１０、第２枠体２０が台盤３７の本体部分の周囲に位置決めされるようにしてある（図３，図４参照）。すなわち、この台盤３７の本体部分の周囲大きさは、固定カセット１の第１枠体１０、第２枠体２０の内形大きさに比し、大きくはないものとしてある。
【００３４】
尚、空気抜き孔３８は、台盤３７の盤面全域に開穿されており、台盤３７が例えばパンチングボードによって形成されることで、その多数の小孔を空気抜き孔３８とすることができる。
【００３５】
カセット固定枠４１は、固定カセット１の左右枠部分がスライド装入される左右のスライド支持部４２と、このスライド支持部４２の前後でスライド支持部４２相互間に連結した前後支持部４３とから平面で四角枠状を呈すると共に、左右のスライド支持部４２には、器枠体３１の側面に形成した前記ガイドスリット３９を挿通させてスライド支持部４２に連結させる作業ハンドル４５を固定させる取付固定部４４を設けて成り、例えば角筒状、アングル状、溝形状等の所定断面の型材を組み合わせることで形成してある。また、このカセット固定枠４１内に支持される固定カセット１は、カセット固定枠４１内で所定の位置に位置決めされるもので、例えば後支持部４３に設けた位置決め片４６に突き当たるまで固定カセット１をスライド装入することで、所定位置に位置決め収納されるようにしてある。
【００３６】
このカセット固定枠４１におけるスライド支持部４２は、固定カセット１の左右枠部分がカセット固定枠４１の前方からスライド自在に嵌め入れられるようにした断面溝形状に形成されている。図示を省略したが、例えば平面で四角枠状を呈する下板材と、前面が開放されている平面でコ字枠状を呈する上板材とを、固定カセット１の高さ間隔に対応したスペーサーを介在させて上下で一体化することで、左右における溝形状のスライド支持部４２、後部における位置決め部分がある溝形状の後支持部４３、下板材の前縁による前支持部４３それぞれを構成することができる。
【００３７】
取付固定部４４は、例えば棒状の作業ハンドル４５をガイドスリット３９に挿通させてスライド支持部４２に例えばネジ止めさせるために、スライド支持部４２にナット材を設けたものとしてある。そして、器枠体３１内に配置したカセット固定枠４１のスライド支持部４２における取付固定部４４をガイドスリット３９部位に合致させておいて、器枠体３１の左右外部から挿通させた作業ハンドル４５の基部を取付固定部４４にネジ止めすることで、カセット固定枠４１自体は器枠体３１外部の作業ハンドル４５によって、ガイドスリット３９たる案内手段４０に沿って上下動できるようにしている。
【００３８】
尚、案内手段４０は、図示を省略したが、器枠体３１の前後左右の隅部等に案内ポールを立脚配置しておく一方、カセット固定枠４１において、前記上板材あるいは下板材を、同じく前記下板材あるいは上板材に比し、例えば左右あるいは前後で突出するようにやや広幅状に形成しておき、その突出部分に案内ポールに嵌め合うよう開穿形成した案内孔および案内筒体による案内部を設けることで構成することができる。こうすることで、案内ポールに嵌め合う案内孔、案内筒体による案内部が案内ポールに沿ってカセット固定枠４１自体を傾かせることなく円滑にがたつかせずに上下に案内させることができる。
【００３９】
カセット固定枠４１を上下動させるに際し、加熱源３２の直下位置で一時的な仮止め状態に維持させる停止凹部をガイドスリット３９自体の上部に形成しておくことも可能であり、また適当なスプリング材によってカセット固定枠４１自体を例えば上昇移動傾向に弾撥付勢させておくこともでき、いずれも操作性を向上できる。
【００４０】
いずれにしても、このような器枠体３１、加熱源３２、真空吸引源３５、台盤３７、カセット固定枠４１等を備えて成る熱成型装置３０自体は、図示例による構成に限定されず、プラスチックシート材Ｐを固定支持した状態の前記固定カセット１がカセット固定枠４１に支持された状態で上下動して、加熱源３２に近接させての加熱・軟性化、台盤３７上の被試作物Ｂに対するプラスチックシート材Ｐのあてがい等の操作を手動的に行えるものであればたり、具体的構成例は以上の説明、図示例等に限定されるものではない。
【００４１】
次に、固定カセット１およびこれを利用した熱成型装置３０における、例えば試作型材の製作の一例を説明する。先ず、事前に、試作型材として製作すべく、その外形をかたどるべき所定の被試作物Ｂを予め用意するのであり、この被試作物Ｂは例えば手作り的に制作された各種の造形物例えば模型品、造形されたチョコレート菓子形物品、３Ｄプリンターによって制作されたサンプル品その他であり、これらの被試作物Ｂを熱成型装置３０における台盤３７上に載置セットしておく。
【００４２】
その一方、所定肉厚のプラスチックシート材Ｐを固定カセット１に固定支持するのであり、互いに離反した第１枠体１０の第１挟持面（１１）と、第２枠体２０の第２挟持面（２１）との間に位置合わせしてプラスチックシート材Ｐを挟み込んだ状態で第１枠体１０、第２枠体２０それぞれを強制的に重ね合わせるよう、例えば嵌め合わせる。重ね合わせるよう嵌め合わせることで、穿孔手段１５における雄刃１６と雌刃１７とでプラスチックシート材Ｐの周縁に固定取付孔Ｐ１を開穿し、そのまま雄刃１６にプラスチックシート材Ｐを嵌め合わせた状態として、プラスチックシート材Ｐを固定カセット１にて挟み込み固定する。
【００４３】
次いで、固定カセット１にて挟み込み固定したプラスチックシート材Ｐを熱成型装置３０内に装入セットするのであり、作業ハンドル４５によって器枠体３１内で上下動が可能になっているカセット固定枠４１に固定カセット１をスライド装入位置決めさせて支持させる。装入支持後は、通電することで加熱状態にした加熱源３２側にカセット固定枠４１を案内手段４０を介して作業ハンドル４５によって持ち上げ、カセット固定枠４１に固定カセット１を介して支持したプラスチックシート材Ｐを加熱し、軟性化させる。
【００４４】
十分に軟性化した後のプラスチックシート材Ｐを、作業ハンドル４５の操作でカセット固定枠４１の下方への移動によって被試作物Ｂ上に押し当てると共に、真空吸引源３５を作動させる。真空吸引源３５の作動によって、台盤３７とプラスチックシート材Ｐとの間に存するエアは空気抜き孔３８を経て台盤３７下方から排気され、これと共にプラスチックシート材Ｐは被試作物Ｂの外形に沿って密着すると同時に台盤３７上面にも密着する。このとき、真空吸引源３５の吸引作動によるプラスチックシート材Ｐの吸引に伴い、固定カセット１はカセット固定枠４１と共に下降するとき、作業者自身の作業ハンドル４５に対する手動操作でカセット固定枠４１を更に押し下げても良いものである。そして、その密着状態で所定時間で放置し、プラスチックシート材Ｐの硬化を待ってプラスチックシート材Ｐを被試作物Ｂから離反させるよう、再び作業ハンドル４５にてカセット固定枠４１を持ち上げる。
【００４５】
持ち上げ後は、被試作物Ｂを台盤３７から取り出す一方、カセット固定枠４１から固定カセット１を抜き出し、第１枠体１０、第２枠体２０相互を離反させて、かたどり成型後のプラスチックシート材Ｐを取り外すのである。取り外し後のプラスチックシート材Ｐには、被試作物Ｂの外形に沿った凹みが形成されており、これによって例えば試作品を製作等するための試作型材として利用する。
【符号の説明】
【００４６】
Ｂ…被試作物                            Ｐ…プラスチックシート材
Ｐ１…固定取付孔
１…固定カセット
１０…第１枠体                          １１…挟持段差凹部（第１挟持部）
１５…穿孔手段                          １６…雄刃
１７…雌刃
２０…第２枠体                          ２１…挟持段差凸部（第２挟持部）
３０…熱成型装置                        ３１…器枠体
３２…加熱源                            ３３…温度計
３４…ヒータースイッチ                  ３５…真空吸引源
３６…排気スイッチ                      ３７…台盤
３８…空気抜き孔                        ３９…ガイドスリット
４０…案内手段
４１…カセット固定枠                    ４２…スライド支持部
４３…前後支持枠                        ４４…取付固定部
４５…作業ハンドル                      ４６…位置決め片
【図１】
2015223791.tif 000003
【図２】
2015223791.tif 000004
【図３】
2015223791.tif 000005
【図４】
2015223791.tif 000006
【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
器枠体と、この器枠体内の上部に配装された加熱源と、器枠体内の下部に配装された真空吸引源と、空気抜き孔が開穿されて真空吸引源上に設けられていて、被試作物が載置される台盤と、プラスチックシート材が着脱自在に固定支持される固定カセットを着脱自在に支持すると共に器枠体内で加熱源と真空吸引源との間で上下動されるカセット固定枠とを備えて成り、カセット固定枠は、固定カセットの左右枠部分がスライド装入される左右のスライド支持部と、このスライド支持部の前後でスライド支持部相互間に連結した前後支持部とから平面で四角枠状を呈すると共に、案内手段に対応する案内部と、器枠体の外側に配置した上下動操作用の作業ハンドルを連結させる取付固定部とを設けてあることを特徴とする熱成型装置。
【請求項２】
カセット固定枠におけるスライド支持部は、固定カセットの左右枠部分がカセット固定枠の前方からスライド自在に嵌め入れられるようにした断面溝形状に形成してある請求項１に記載の熱成型装置。
【請求項３】
器枠体には、カセット固定枠を上下に案内して移動させる案内手段が設けられている請求項１または２に記載の熱成型装置。
【請求項４】
前記固定カセットは、被試作物をかたどるべく、この被試作物に密着されるプラスチックシート材の周縁を挟み込み、この挟み込みを維持するようにしてある枠体を備えて成る請求項１乃至３のいずれかに記載の熱成型装置。
【請求項５】
前記固定カセットは、被試作物をかたどるべく、この被試作物に密着されるプラスチックシート材の周縁を挟み込む第１挟持面が周縁に形成された第１枠体と、第１挟持面と対向状で、この第１挟持面と共にプラスチックシート材を挟み込む第２挟持面が周縁に形成された第２枠体とから成り、第１挟持面、第２挟持面それぞれが当接する対向面に、相互に嵌め合わされることで挟み込んだプラスチックシート材に固定取付孔を穿孔させると共に、プラスチックシート材の位置決め、挟み込みを維持する穿孔手段を設けて成る請求項１乃至３のいずれかに記載の熱成型装置。
【請求項６】
第１挟持面は、プラスチックシート材の周縁を挟み込む凹状の挟持段差凹部として第１枠体に構成でき、第２挟持面は、この挟持段差凹部内に嵌め込まれる凸状の挟持段差凸部として第２枠体に構成してある請求項５に記載の熱成型装置。
【請求項７】
第１枠体の挟持段差凹部の外側縁、第２枠体の挟持段差凸部の外側縁それぞれは、前記したプラスチックシート材の周囲縁にほぼ対応した大きさとなしてある請求項６に記載の熱成型装置。
【請求項８】
穿孔手段は、第１挟持面、第２挟持面相互の対向面のいずれか一方に形成したピン状の雄刃と、この雄刃が嵌め入れられるものとしていずれか他方に形成した凹状の雌刃とから成る請求項５乃至７のいずれかに記載の熱成型装置。
【手続補正２】
【補正対象書類名】明細書
【補正対象項目名】０００７
【補正方法】変更
【補正の内容】
【０００７】
そこで本発明は上述したような従来存した諸事情に鑑み創出されたもので、その目的は例えば試作型材となるプラスチックシート材を熱成型装置内にセットするに際し、そのプラスチックシート材を固定カセットによって挟み込むことで簡単に支持固定でき、その固定された状態の儘で熱成型装置内に簡単、容易に装入でき、また熱成型装置自体は例えば卓上に置ける程度に小型化できることで、取り扱いも容易であるようにしたプラスチックシートの熱成型時用固定カセットおよびこれを利用した熱成型装置を提供することにある。